(57)【要約】【課題】専用のハードウェア構成を設けることなく、より低コストに省電力化を図ることができる画像読取装置及びその制御方法、画像形成装置を提供する。【解決手段】読み取りモードに応じて原稿を読み取る画像読取装置において、ＣＣＤラインセンサ２０１、ＣＣＤドライバ２０４、ＡＦＥ２０２、画像処理ＩＣ２０３、ＴＧ２０５をそれぞれ有する、原稿の第１面及び第２面をそれぞれ読み取る第１及び第２読み取りユニット１２０、１４０と、ＣＰＵ２０７とを備え、読み取りモードが両面読み取りモードと片面読み取りモードとを含み、第１及び第２読み取りユニット１２０、１４０が、ＣＣＤラインセンサ２０１等が駆動している読み取り動作状態と駆動していないスタンバイ状態とを切り替え可能であり、ＣＰＵ２０７が読み取りモードに応じて第１及び第２読み取りユニット１２０、１４０の読み取り動作状態とスタンバイ状態とを切り替え制御する画像読取装置。【選択図】図２
2008141652.tif 000002
【特許請求の範囲】
【請求項１】
操作部を介して指定された読み取りモードで動作して、原稿搬送手段により搬送されるかあるいは原稿載置台に載置された原稿に光源からの光を照射し、前記原稿の画像情報を光電変換して、前記原稿の画像情報を読み取る画像読取装置において、
前記原稿の画像情報を光電変換する光電変換素子、前記光電変換素子を駆動する駆動手段、動作状態を設定するレジスタを有し前記光電変換素子により生成されたアナログ信号をデジタル信号に変換するアナログデジタル変換手段、前記アナログデジタル変換手段により変換されたデジタル信号を処理する画像処理手段、制御クロック信号の出力を制御するレジスタを有し前記制御クロック信号を出力して、前記光電変換素子、前記アナログデジタル変換手段、及び画像処理手段のタイミング制御を行うタイミング制御手段、電源出力を制御するための制御端子を有し前記光電変換素子に電源を供給する電源供給手段をそれぞれ有する、前記原稿の第１面の画像情報を読み取る第１の読み取り手段、及び前記原稿の第２面の画像情報を読み取る第２の読み取り手段と、
画像情報の読み取り動作を制御する制御手段とを備え、
前記読み取りモードが、前記原稿の第１面及び第２面の画像情報を読み取る両面読み取りモードと、前記原稿の第１面あるいは第２面のいずれか一方の画像情報を読み取る片面読み取りモードとを含み、
前記第１の読み取り手段及び前記第２の読み取り手段が、前記光電変換素子、前記駆動手段、前記アナログデジタル変換手段、前記画像処理手段、及び前記タイミング制御手段が駆動している読み取り動作状態と、駆動していないスタンバイ状態とを切り替え可能であり、
前記制御手段が、前記読み取りモードに応じて、前記アナログデジタル変更手段及び前記タイミング制御手段のレジスタ値を変更することで前記アナログデジタル変換手段の動作とその停止、前記タイミング制御手段による制御クロック信号の出力とその停止を制御し、また前記制御端子の設定を変更することで前記電源供給手段による電源の供給とその停止を制御し、これにより、前記第１の読み取り手段及び前記第２の読み取り手段における前記読み取り動作状態と前記スタンバイ状態とを切り替え制御することを特徴とする画像読取装置。
【請求項２】
請求項１に記載の画像読取装置において、
前記読み取りモードが両面読み取りモードの場合には、前記制御手段が前記第１の読み取り手段及び前記第２の読み取り手段の両方を読み取り動作状態に切り替え制御し、
前記読み取りモードが片面読み取りモードの場合には、前記制御手段が前記第１の読み取り手段あるいは前記第２の読み取り手段の一方を読み取り動作状態に切り替え制御することを特徴とする画像読取装置。
【請求項３】
請求項１または２に記載の画像読取装置において、
前記片面読み取りモードが、前記原稿搬送手段により搬送される原稿の片面の画像情報を読み取る片面流し読みモードと、前記原稿載置台に載置された原稿の画像情報を読み取る原稿固定読み取りモードとを含み、
前記読み取りモードが前記片面流し読みモードの場合には、前記制御手段が前記第１の読み取り手段あるいは前記第２の読み取り手段の一方を読み取り動作状態に切り替え制御し、
前記読み取りモードが前記原稿固定読み取りモードの場合には、前記制御手段が前記第１の読み取り手段を読み取り動作状態に切り替え制御することを特徴とする画像読取装置。
【請求項４】
操作部を介して指定された読み取りモードで動作して、原稿搬送手段により搬送されるかあるいは原稿載置台に載置された原稿に光源からの光を照射し、前記原稿の画像情報を光電変換して、前記原稿の画像情報を読み取る画像読取装置のうち、前記原稿の画像情報を光電変換する光電変換素子、前記光電変換素子を駆動する駆動手段、動作状態を設定するレジスタを有し前記光電変換素子により生成されたアナログ信号をデジタル信号に変換するアナログデジタル変換手段、前記アナログデジタル変換手段により変換されたデジタル信号を処理する画像処理手段、制御クロック信号の出力を制御するレジスタを有し前記制御クロック信号を出力して、前記光電変換素子、前記アナログデジタル変換手段、及び画像処理手段のタイミング制御を行うタイミング制御手段、電源出力を制御するための制御端子を有し前記光電変換素子に電源を供給する電源供給手段をそれぞれ有する、前記原稿の第１面の画像情報を読み取る第１の読み取り手段、及び前記原稿の第２面の画像情報を読み取る第２の読み取り手段と、画像情報の読み取り動作を制御する制御手段とを備えた画像形成装置の制御方法であって、
前記原稿搬送手段による原稿の搬送であるか否かを判断する搬送方法判断ステップと、
前記読み取りモードが前記原稿の第１面及び第２面の画像情報を読み取る両面読み取りモードか否かを判断するモード判断ステップと、
前記モード判断ステップにおける判断結果に基づいて、前記アナログデジタル変更手段及び前記タイミング制御手段のレジスタ値を変更することで前記アナログデジタル変換手段の動作とその停止、前記タイミング制御手段による制御クロック信号の出力とその停止を制御し、また前記制御端子の設定を変更することで前記電源供給手段による電源の供給とその停止を制御し、これにより、前記第１の読み取り手段及び前記第２の読み取り手段の動作状態を切換え制御する制御ステップとを含むことを特徴とする画像読取装置の制御方法。
【請求項５】
請求項１乃至３のいずれかに記載の画像読取装置と、この画像読取装置によって読み取る画像を記録媒体に形成する画像形成部とを備えることを特徴とする画像形成装置。
【請求項６】
原稿を給送する原稿給送手段と、
前記原稿給送手段により給送中の原稿の表面の画像を読み取る第１の読取素子と、
前記原稿給送手段により給送中の原稿の裏面の画像を読み取る第２の読取素子と、
前記第１の読取素子及び前記第２の読取素子を駆動するクロック信号を出力するタイミング制御手段と、
前記第１の読取素子及び前記第２の読取素子を駆動するための電源を供給する電源と、
前記タイミング制御手段及び前記電源を制御する制御手段と、
を有し、前記制御手段は、前記第１の読取素子と前記第２の読取素子の何れかが読取を行っていない状態で、前記タイミング制御手段及び前記電源に対する設定を変更することにより、読取を行っていない読取素子に対しての前記タイミング制御手段からのタイミング信号の出力及び前記電源からの電源供給を停止させることを特徴とする画像読取装置。
【発明の詳細な説明】
【技術分野】
【０００１】
本発明はスキャナ、ファックス、複写機等に使用される画像読取装置及びその制御方法、該画像読取装置を備えた画像形成装置に関する。
【背景技術】
【０００２】
近年、紙文書等を電子化して取り扱う電子ファイリングが盛んになっている。これに伴って紙文書を電子データ化するための画像読取装置においても高速化、高画質化が望まれている。その要望の一つとして、両面原稿に対する読み取りの高速化がある。これに対しては、原稿の表面用の読取ユニットと原稿の裏面用の読取ユニットの両方を設け、１回の原稿搬送で原稿の両面を読み取る両面画像読み取りの可能な画像読取装置が提案されている。
【０００３】
このような画像読取装置によれば、１回の原稿搬送で原稿両面の画像を並行して読み取ることが可能なため、高い読み取り生産性を実現することができる。しかしながら、読み取りユニットを２つ持つことになり、その分消費電力が大きくなるという問題があった。
【０００４】
このような問題を解決するために、次のような画像読取装置が提案されている（例えば、特許文献１参照）。すなわち、原稿片面読み取りモードの場合、読み取りを行わない側の読み取り系や、画像信号処理系系への電源供給をオフとし、読み取りを行う側にのみ電源供給するといった制御を行うことで、省電力化を実現するものである。
【特許文献１】特開平１１−６９０４１号公報
【発明の開示】
【発明が解決しようとする課題】
【０００５】
しかしながら、従来例に係る画像読取装置では、省電力化への効果は期待できるものの、電源供給を制御するための複数のスイッチ回路等のハードウェア構成が必要になるという問題があった。
【０００６】
即ち、読み取り系、画像処理系、駆動系等の画像読取装置内の各箇所に対して、読み取りモードに応じた細かな電源供給制御を行うよう構成する必要があるため、複数のスイッチ回路が必要になり高コストとなってしまうという問題があった。
【０００７】
さらに、電源系統は１種類だけではなく、例えば２４Ｖ系、５Ｖ系、３．３Ｖ系等数種類の電圧で構成されることが多く、この場合には各電圧に応じたスイッチ回路が必要になるため、やはり高コストとなってしまうという問題があった。
【０００８】
本発明は、かかる問題点に鑑みてなされたものであり、専用のハードウェア構成を設けることなく、より低コストに省電力化を図ることができる画像読取装置及びその制御方法、該画像読取装置を備えた画像形成装置を提供することを目的とする。
【課題を解決するための手段】
【０００９】
本発明は上述した課題を解決するためになされたものであり、以下の構成を備える。
【００１０】
（１）操作部を介して指定された読み取りモードで動作して、原稿搬送手段により搬送されるかあるいは原稿載置台に載置された原稿に光源からの光を照射し、前記原稿の画像情報を光電変換して、前記原稿の画像情報を読み取る画像読取装置において、前記原稿の画像情報を光電変換する光電変換素子、前記光電変換素子を駆動する駆動手段、動作状態を設定するレジスタを有し前記光電変換素子により生成されたアナログ信号をデジタル信号に変換するアナログデジタル変換手段、前記アナログデジタル変換手段により変換されたデジタル信号を処理する画像処理手段、制御クロック信号の出力を制御するレジスタを有し前記制御クロック信号を出力して、前記光電変換素子、前記アナログデジタル変換手段、及び画像処理手段のタイミング制御を行うタイミング制御手段、電源出力を制御するための制御端子を有し前記光電変換素子に電源を供給する電源供給手段をそれぞれ有する、前記原稿の第１面の画像情報を読み取る第１の読み取り手段、及び前記原稿の第２面の画像情報を読み取る第２の読み取り手段と、画像情報の読み取り動作を制御する制御手段とを備え、前記読み取りモードが、前記原稿の第１面及び第２面の画像情報を読み取る両面読み取りモードと、前記原稿の第１面あるいは第２面のいずれか一方の画像情報を読み取る片面読み取りモードとを含み、前記第１の読み取り手段及び前記第２の読み取り手段が、前記光電変換素子、前記駆動手段、前記アナログデジタル変換手段、前記画像処理手段、及び前記タイミング制御手段が駆動している読み取り動作状態と、駆動していないスタンバイ状態とを切り替え可能であり、前記制御手段が、前記読み取りモードに応じて、前記アナログデジタル変更手段及び前記タイミング制御手段のレジスタ値を変更することで前記アナログデジタル変換手段の動作とその停止、前記タイミング制御手段による制御クロック信号の出力とその停止を制御し、また前記制御端子の設定を変更することで前記電源供給手段による電源の供給とその停止を制御し、これにより、前記第１の読み取り手段及び前記第２の読み取り手段における前記読み取り動作状態と前記スタンバイ状態とを切り替え制御することを特徴とする画像読取装置。
【００１１】
（２）操作部を介して指定された読み取りモードで動作して、原稿搬送手段により搬送されるかあるいは原稿載置台に載置された原稿に光源からの光を照射し、前記原稿の画像情報を光電変換して、前記原稿の画像情報を読み取る画像読取装置のうち、前記原稿の画像情報を光電変換する光電変換素子、前記光電変換素子を駆動する駆動手段、動作状態を設定するレジスタを有し前記光電変換素子により生成されたアナログ信号をデジタル信号に変換するアナログデジタル変換手段、前記アナログデジタル変換手段により変換されたデジタル信号を処理する画像処理手段、制御クロック信号の出力を制御するレジスタを有し前記制御クロック信号を出力して、前記光電変換素子、前記アナログデジタル変換手段、及び画像処理手段のタイミング制御を行うタイミング制御手段、電源出力を制御するための制御端子を有し前記光電変換素子に電源を供給する電源供給手段をそれぞれ有する、前記原稿の第１面の画像情報を読み取る第１の読み取り手段、及び前記原稿の第２面の画像情報を読み取る第２の読み取り手段と、画像情報の読み取り動作を制御する制御手段とを備えた画像形成装置の制御方法であって、前記原稿搬送手段による原稿の搬送であるか否かを判断する搬送方法判断ステップと、前記読み取りモードが前記原稿の第１面及び第２面の画像情報を読み取る両面読み取りモードか否かを判断するモード判断ステップと、前記モード判断ステップにおける判断結果に基づいて、前記アナログデジタル変更手段及び前記タイミング制御手段のレジスタ値を変更することで前記アナログデジタル変換手段の動作とその停止、前記タイミング制御手段による制御クロック信号の出力とその停止を制御し、また前記制御端子の設定を変更することで前記電源供給手段による電源の供給とその停止を制御し、これにより、前記第１の読み取り手段及び前記第２の読み取り手段の動作状態を切換え制御する制御ステップとを含むことを特徴とする画像読取装置の制御方法。
【００１２】
（３）前項（１）に記載の画像読取装置と、この画像読取装置によって読み取る画像を記録媒体に形成する画像形成部とを備えることを特徴とする画像形成装置。
【００１３】
（４）原稿を給送する原稿給送手段と、前記原稿給送手段により給送中の原稿の表面の画像を読み取る第１の読取素子と、前記原稿給送手段により給送中の原稿の裏面の画像を読み取る第２の読取素子と、前記第１の読取素子及び前記第２の読取素子を駆動するクロック信号を出力するタイミング制御手段と、前記第１の読取素子及び前記第２の読取素子を駆動するための電源を供給する電源と、前記タイミング制御手段及び前記電源を制御する制御手段と、を有し、前記制御手段は、前記第１の読取素子と前記第２の読取素子の何れかが読取を行っていない状態で、前記タイミング制御手段及び前記電源に対する設定を変更することにより、読取を行っていない読取素子に対しての前記タイミング制御手段からのタイミング信号の出力及び前記電源からの電源供給を停止させることを特徴とする画像読取装置。
【発明の効果】
【００１４】
本発明によれば、専用のハードウェア構成を設けることなく、より低コストに省電力化を図ることができる画像読取装置及びその制御方法、該画像読取装置を備えた画像形成装置を提供することができる。
【発明を実施するための最良の形態】
【００１５】
本発明を実施するための最良の形態を、以下の実施形態に基づいて説明する。
【００１６】
ただし、この実施形態に記載されている構成部品の寸法、材質、形状、その相対配置等は、特に特定的な記載がない限りは、この発明の範囲をそれらのみに限定する趣旨のものではない。
【００１７】
（第１の実施形態）
以下、図面を参照して本実施形態に係る画像読取装置について説明する。
【００１８】
図１は本実施形態に係る画像読取装置の概略構成図である。本実施形態に係る画像読取装置は、原稿の両面に形成された画像情報を１回の原稿搬送で読み取ることのできる画像読取装置である。
【００１９】
１００は画像読取装置である。１２０は原稿を読み取るための第１読み取りユニット、１０１は第１読み取りユニット１２０の対向面（図中上方）に配置された自動原稿給送装置（Ａｕｔｏ  Ｄｏｃｕｍｅｎｔ  Ｆｅｅｄｅｒ、以下ＡＤＦという）である。１４０はＡＤＦ１０１内に設置された第２読み取りユニットである。
【００２０】
第１読み取りユニット１２０は、原稿の第１面を読み取るためのものである。第１読み取りユニット１２０は、原稿を照明する光源としての第１照明部材１２０ａ、複数のミラー１２０ｂ及び結像レンズ１２０ｃによって構成された光学系１２０ｄ、ラインセンサ１２０ｅで構成される。第１照明部材１２０ａから照射され原稿の第１面で反射した光は、光学系１２０ｄによりラインセンサ１２０ｅに結像され、原稿の第１面の画像情報が光電変換されるようになっている。
【００２１】
第２読み取りユニット１４０は原稿の第２面を読み取るためのものである。その構成は第１読み取りユニット１２０と同様であり、原稿を照明する光源としての第２照明部材１４０ａ、複数のミラー１４０ｂ及び結像レンズ１４０ｃによって構成された光学系１４０ｄ、ラインセンサ１４０ｅで構成される。第２読み取りユニット１４０は、ＡＤＦ１０１内の所定位置に固定配置されている。第２照明部材１４０ａから照射され原稿の第２面で反射した光は、光学系１４０ｄによりラインセンサ１４０ｅに結像され、原稿の第２面の画像情報が光電変換されるようになっている。
【００２２】
前記構成において、当該画像読取装置は複数の読み取りモードを有している。
【００２３】
第１の読み取りモードは、プラテンガラス１０９上に載置された原稿の画像情報を読み取る、いわゆる固定読みを行うモードである。本読み取りモードでは、第１読み取りユニット１２０が不図示の駆動機構によって図１中矢印Ｆで示す方向に往復動し、プラテンガラス１０９上に載置され停止している原稿の第１面の画像を読み取る。
【００２４】
第２の読み取りモードはＡＤＦ１０１により搬送移動される原稿の画像情報を読み取る、いわゆる流し読みを行うモードである。本読み取りモードにおいて、ＡＤＦ１０１は原稿載置台１０２上に載置された原稿を、原稿搬送手段としてのピックアップローラ１０３と分離ローラ１０４ａ、１０４ｂとで一枚ずつ分離する。そして、ＡＤＦ１０１は分離された原稿を原稿搬送手段としての第１搬送ローラ１０５で読み取り位置１１１へと搬送する。このとき、ＡＤＦ１０１は第１読み取りユニット１２０を読み取り位置１１１に静止させておき、第１読み取りユニット１２０によって搬送中の原稿の第１面を読み取る。さらにＡＤＦ１０１は原稿搬送手段としての第２搬送ローラ１０６によって原稿を搬送し、原稿排紙トレイ１０８上に原稿を排出する。一般的に、前記第１搬送ローラ１０５、第２搬送ローラ１０６は共通の駆動源により駆動するように構成されており、装置の小型化を実現している。
【００２５】
第３の読み取りモードは、前述した第２の読み取りモードにおける第１読み取りユニット１２０による流し読みに対して、第２読み取りユニット１４０による読み取りを追加したいわゆる両面読み取りモードである。本読み取りモードにおける原稿搬送方法は第２の読み取りモードと同様である。本読み取りモードにおいては、第１読み取りユニット１２０による読み取り位置１１１での読み取り、及び第２読み取りユニット１４０による読み取り位置１１２での読み取りにより、原稿を搬送しながら原稿の第１及び第２面の画像をそれぞれ読み取るものである。
【００２６】
図２は第１の読み取り手段としての第１読み取りユニット１２０含む画像読取装置の画像読み取り主要部のブロック図である。なお、第２読み取りユニット１４０の構成は第１読み取りユニット１２０の構成と同一であるので、第１読み取りユニット１２０のみについて説明する。
【００２７】
２０１は光電変換素子としてのＣＣＤラインセンサであり、ＣＣＤラインセンサ２０１に入射された光は光電変換され、ＣＣＤラインセンサ２０１は入射強度に応じた電圧値を持つアナログ信号（ＣＣＤ出力信号）を出力する。２０２はアナログデジタル変換手段としてのアナログフロントエンドＩＣ（以下ＡＦＥという）であり、ＣＣＤ出力信号のアナログ処理、ＡＤ変換等を行うＩＣ（集積回路）である。アナログ処理は、ＣＣＤ出力信号のサンプリング、ゲイン・オフセット調整等を行うものである。所定のアナログ処理がなされたアナログ信号は、デジタル画像データに変換される。
【００２８】
ＡＦＥ２０２へのゲイン値やオフセット値の設定は、ＡＦＥ２０２内の動作設定レジスタに値を書き込むことによって行われる。なお、動作設定レジスタへのアクセスは後述するＣＰＵから出力されるシリアルデータにより行われる。またＡＦＥ２０２は、動作設定レジスタに書き込む各値の設定によりＡＦＥ２０２の動作モードを変更可能となっている。例えば、ＣＣＤ出力信号のサンプリング方法の選択（ＣＤＳまたはＳ／Ｈ）、ＣＣＤ出力信号サンプリング位相の微調整、パワーダウンモード設定等の変更が可能である。パワーダウンモードとは、通常動作状態（通常動作モード）から内部のアナログ回路部への電流供給停止、デジタル回路へのクロック停止等を内部的に行うモードである。
【００２９】
ＡＦＥ２０２によりデジタルデータに変換された画像データは、画像処理手段としての画像処理ＩＣ２０３に入力される。画像処理ＩＣ２０３は、シェーディング補正、ガンマ補正、ＭＴＦ補正等の画像処理を行うものである。画像処理ＩＣ２０３から出力された画像データは後段の処理回路に送られる。
【００３０】
２０４は駆動手段としてのＣＣＤドライバであり、ＣＣＤラインセンサ２０１のＣＣＤレジスタを駆動するためのＩＣである。ＣＣＤラインセンサ２０１のＣＣＤレジスタは、大きな容量負荷であるため、その駆動には大きな電流が必要である。そのため、後述するタイミングパルスジェネレータから出力される駆動信号をＣＣＤドライバ２０４でバッファリングして、ＣＣＤラインセンサ２０１のＣＣＤレジスタに供給している。ＣＣＤドライバ２０４は、不図示のＣＣＤを駆動するための垂直転送レジスタや出力部の駆動も行うように構成されている。
【００３１】
２０５はＣＣＤラインセンサ２０１、ＡＦＥ２０２及び画像処理ＩＣ２０３の駆動クロックを生成するタイミング制御手段としてのタイミングパルスジェネレータ（以下ＴＧという）である。ＴＧ２０５は、ＣＣＤラインセンサ２０１のＣＣＤレジスタの駆動や、ＡＦＥ２０２のサンプリングタイミングを制御するための高速クロック信号を生成する。また、ＣＣＤラインセンサ２０１の垂直転送や、ＡＦＥ２０２の入力信号を所定電位にクランプするための低速クロック信号（１ライン内で数回程度ハイレベルになるようなパルス）、及び画像処理ＩＣ２０３の駆動クロックを生成する。
【００３２】
２０６は基準クロック源であり、ＴＧ２０５の基準クロック源として使用される。ＴＧ２０５には不図示のＰＬＬ（位相同期回路）が内蔵されており、ＴＧ２０５は基準クロック源２０６からのクロック信号を所定分だけ逓倍し、ＴＧ２０５の内部基準クロックとしている。
【００３３】
ＴＧ２０５の高速クロック生成部は、前記内部基準クロックで動作するリングカウンタにより構成されており、後述するＣＰＵによるリングカウンタのレジスタ値変更により種々のクロックパターンが生成可能である。ＴＧ２０５の高速クロック生成部は、クロックパターンを所定回数繰り返し生成することにより１ライン分の高速クロック信号を生成している。
【００３４】
ＴＧ２０５の低速クロック生成部は、前記内部基準クロックで動作する十数ビットのカウンタとデコーダで構成されている。ＴＧ２０５の低速クロック生成部は、後述するＣＰＵを介して、デコーダに付随するレジスタ設定を変更することにより、１ライン内の任意の位置でのパルスの立ち上がり、立ち下がりが設定できるようになっている。
【００３５】
ＴＧ２０５は信号出力制御部を有する。信号出力制御部は、高速クロック生成部、及び低速クロック生成部で生成される信号を停止する機能を有している。信号出力制御部の制御は高速クロック生成部、及び低速クロック生成部と同様に、後述するＣＰＵを介して行われる。
【００３６】
２０７は制御手段としてのＣＰＵである。ＣＰＵ２０７は、ＴＧ２０５、及び画像処理ＩＣ２０３とバス接続されている。ＣＰＵ２０７は、ＴＧ２０５に対して高速、低速クロックパターンを設定するためのレジスタ設定、画像処理ＩＣ２０３に対して各種画像処理係数の設定等を行う。またＣＰＵ２０７は、ＡＦＥ２０２とポート接続されており、ＡＦＥ２０２の動作モードを設定するためのレジスタ設定用シリアルデータを生成、送信している。なお、本実施形態では、第１読み取りユニット１２０及び第２読み取りユニット１４０のそれぞれにＣＰＵを備える構成とした。しかしながら、特にこれに限定されず、１つのＣＰＵで第１読み取りユニット１２０、第２読み取りユニット１４０の両方を制御する構成としてもよい。
【００３７】
２０８は電源供給手段としての電圧レギュレータＩＣであり、不図示の外部装置より画像読取装置内に供給される高い電圧（例えばＤＣ２４Ｖ）からＣＣＤラインセンサ２０１用の電源電圧（例えばＤＣ１２ＶやＤＣ１０Ｖ）を生成するためのものである。電圧レギュレータＩＣ２０８は、電圧出力をＯＮ／ＯＦＦ制御するための出力制御端子を有している。出力制御端子はＣＰＵ２０７のポートに接続されている。ＣＰＵ２０７はこの出力制御端子を制御することにより、ＣＣＤラインセンサ２０１の電源電圧供給のＯＮ／ＯＦＦを行っている。
【００３８】
続いて、第１読み取りユニット１２０、及び第２読み取りユニット１４０の読み取り動作状態、及びスタンバイ状態について説明する。
【００３９】
読み取り動作状態とは、読み取りユニット（１２０、１４０）、及び周辺回路が読み取り動作可能な状態である。この状態においては、ＣＣＤラインセンサ２０１、ＡＦＥ２０２、画像処理ＩＣ２０３にＴＧ２０５から制御クロックが供給されているとともに、ＣＣＤラインセンサ２０１への電源供給がなされ、ＡＦＥ２０２は通常動作モードとなっている。
【００４０】
スタンバイ状態とは、ＴＧ２０５からラインセンサ２０１、ＡＦＥ２０２、画像処理ＩＣ２０３への制御クロックの供給が停止され、またＣＣＤラインセンサ２０１への電源供給が停止され、ＡＦＥ２０２がパワーダウンモードになっている状態である。
【００４１】
読み取り動作状態、及びスタンバイ状態の設定はＣＰＵ２０７により制御される。ＴＧ２０５の制御クロック出力／停止は、バスを介した設定で行われ、ＡＦＥ２０２の通常動作モード／パワーダウンモードは、ＡＦＥ２０２への制御レジスタ設定で行われる。また、ＣＣＤラインセンサ２０１への電源供給／停止は、電圧レギュレータＩＣ２０８の出力制御端子の設定で行われる。
【００４２】
表１は本実施形態に係る画像読取装置における読み取りモードを示した表である。本実施形態に係る画像読取装置は、読み取りモードとして両面読み取りモード、片面流し読みモード、原稿固定読み取りモードを有している。ユーザは、不図示の操作部としてのユーザインターフェイスを介して、前述の読み取りモードのいずれかを指定することができる。読み取りモードが指定されると、読み取りモードを受信したＣＰＵ２０７は、指定された読み取りモードを実行するのに必要な読み取りユニットのみを読み取り動作状態になるよう制御する。
【００４３】
【表１】
2008141652.tif 000003
【００４４】
表中（１）は、両面読み取りモードが指定された場合における各読み取りユニットの動作状態設定を示している。両面読み取りモードにおいては、まず第１搬送ローラ１０５で原稿を読み取り位置１１１へと搬送し、読み取り位置１１１に静止させた第１読み取りユニット１２０により搬送中の原稿の第１面を読み取る。続いて第２搬送ローラ１０６でさらに原稿を搬送し、第２読み取りユニット１４０により読み取り位置１１２で原稿の第２面を読み取る。これにより、原稿の第１及び第２面の画像を読み取る。したがって、ＣＰＵ２０７は第１読み取りユニット１２０、第２読み取りユニット１４０の両方を読み取り動作状態とする。
【００４５】
表中（２）は、片面読み取りモードが指定された場合における各読み取りユニットの動作状態設定を示している。片面読み取りモードは片面流し読みモードと、原稿固定読み取りモードの両方を指す。片面流し読みモードは、読み取り位置１１１に静止させた第１読み取りユニット１２０により搬送中の原稿の第１面を読み取るものである。原稿固定読み取りモードは、プラテンガラス１０９上に載置された原稿の画像を、第１読み取りユニット１２０を図１中矢印Ｆ方向に移動させて読み取るものである。したがって、ＣＰＵ２０７は第１読み取りユニット１２０を読み取り動作状態とし、第２読み取りユニットをスタンバイ状態のままとする。
【００４６】
図３は第１読み取りユニット１２０、第２読み取りユニット１４０の動作状態設定・画像読み取り動作を説明するフローチャートである。
【００４７】
ユーザにより読み取り開始が指示されると（ステップＳ３０１）、ＡＤＦ１０１の原稿載置台１０２に配設されている不図示の原稿検知センサによって、原稿載置台１０２に原稿が載置されているか否かを判断する（ステップＳ３０２）。
【００４８】
ステップＳ３０２において、原稿載置台１０２に原稿が載置されていると判断された場合、ユーザによる読み取りモードの指定が両面読み取りモードか否かを判断する（ステップＳ３０３）。
【００４９】
ステップＳ３０３において、両面読み取りモードと判断された場合、原稿の両面画像読み取りを実行すべく、第１及び第２読み取りユニット１２０、１４０を読み取り動作状態とする（ステップＳ３０４）。即ち、第１読み取りユニット１２０のＴＧ２０５、ＡＦＥ２０２や電圧レギュレータＩＣ２０８を動作させる設定が行われる。第２読み取りユニット１４０についても同様である。
【００５０】
ステップＳ３０２において、原稿載置台１０２に原稿が載置されていないと判断された場合、すなわち原稿固定読み取りモードの場合、第１読み取りユニット１２０のみを読み取り動作状態とする。即ち、第２読み取りユニット１４０のＴＧ、ＡＦＥや電圧レギュレータＩＣの動作を停止させる設定が行われる。また、ステップＳ３０３で両面読み取りモードではないと判断された場合、すなわち片面流し読みモードの場合においても、第１読み取りユニット１２０のみを読み取り動作状態とする（ステップＳ３０５）。
【００５１】
その後、原稿画像読み取りを開始する（ステップＳ３０６）。ＡＤＦ１０１による原稿搬送の場合は、原稿検知センサの出力をモニタし、原稿がまだある場合はステップＳ３０６に戻り、引き続き原稿の搬送、画像読み取りを継続する（ステップＳ３０７）。ステップＳ３０７において、原稿がないと判断された場合は、読み取りを終了する。なお、原稿固定読み取りモードの場合は、通常、連続読み取りは行わないため、１回の読み取りで読み取り終了とする。読み取りが終了したら、読み取り動作状態になっている読み取りユニットをスタンバイ状態に変更し（ステップＳ３０８）、動作を終了する。
【００５２】
なお、本実施形態では、読み取りユニットとしてＣＣＤラインセンサを使用した１ＢＯＸ縮小光学系を用いて説明した。しかしながら、特にこれに限定されず、第１読み取りユニットは１：２縮小光学系でもよい。また、第１、第２読み取りユニットをＣＩＳ（Ｃｏｎｔａｃｔ  Ｉｍａｇｅ  Ｓｅｎｓｏｒ）を使用した密着光学系としてもよい。
【００５３】
また、本実施形態では、片面流し読みモードにおいて第１読み取りユニット１２０を使用するように制御したが、片面流し読みモードに使用する読み取りユニットは第２読み取りユニット１４０としてもよい。この場合、読み取りユニットの動作状態設定・画像読み取り動作は、図３のフローチャートと同じでよく、表１の（２）片面読み取りモードにおける第１読み取りユニットをスタンバイ状態、第２読み取りユニットを読み取り動作状態と変更すればよい。
【００５４】
以上説明したように本実施形態に係る画像読取装置は、読み取りジョブ開始時に両面読み取りモードか片面読み取りモードかを判断する。これにより、画像読み取りに使用する読み取りユニットのみを読み取り動作モードになるように制御し、読み取りに使用しない読み取りユニットはスタンバイモードのままとする。そのため、片面読み取りモードの場合には無駄な電力消費を抑制することが可能となる。
【００５５】
また、読み取りユニットや原稿搬送手段への電源供給を遮断するのではなく、読み取りユニットの読み取り動作状態とスタンバイ状態の切り替え制御を、読み取りモードに応じて行うことで省電力化を実現可能としている。そして、読み取りユニットの読み取り動作状態とスタンバイ状態の切り替え制御は専用の回路を設けることなく、既存のハード／ソフト構成により実現可能としている。そのため電源供給を制御するためのスイッチ回路等のハードウェア構成が不要であり、画像読取装置のコストダウンを図ることができる。特に電源系統が数種類の電圧で構成される場合には、各電圧に応じたスイッチ回路を設ける必要がないため、よりコストダウンを図ることができる。
【００５６】
さらに、読み取りユニットの温度上昇を抑えることができるので、レンズ鏡筒の熱変形や熱によるＣＣＤの反りが小さくなり、読み取り画像の昇温劣化を抑制することが可能となる。
【図面の簡単な説明】
【００５７】
【図１】第１の実施形態に係る画像読取装置の概略構成図
【図２】画像読み取り主要部のブロック図
【図３】読み取りユニットのモード設定・画像読み取り動作を説明するフローチャート
【符号の説明】
【００５８】
１０３    ピックアップローラ（原稿搬送手段に対応）
１０４ａ、１０４ｂ    分離ローラ（原稿搬送手段に対応）
１０５    第１搬送ローラ（原稿搬送手段に対応）
１０６    第２搬送ローラ（原稿搬送手段に対応）
１２０    第１読み取りユニット（第１の読み取り手段に対応）
１２０ａ  第１照明部材（光源に対応）
１４０    第２読み取りユニット（第２の読み取り手段に対応）
１４０ａ  第２照明部材（光源に対応）
２０１    ＣＣＤラインセンサ（光電変換素子に対応）
２０２    アナログフロントエンドＩＣ（アナログデジタル変換手段に対応）
２０３    画像処理ＩＣ（画像処理手段に対応）
２０４    ＣＣＤドライバ（駆動手段に対応）
２０５    タイミングパルスジェネレータ（タイミング制御手段に対応）
２０７    ＣＰＵ（制御手段に対応）
２０８    電圧レギュレータＩＣ（電源供給手段に対応）
【図１】
2008141652.tif 000004
【図２】
2008141652.tif 000005
【図３】
2008141652.tif 000006